(57)【要約】      （修正有）【課題】ベアリング内部に異物が侵入することを防止することができるスケートボードを提供する。【解決手段】スケートボードは、ウィール１３０の収容部１３２に装着されるベアリング１４０を有し、ベアリングの外側にベアリングを覆うプレート１５０が配置されている。プレート１５０は、ドーナツ形状のプレート部１５１と、プレート部の内周から円筒状に突出した突出部１５２とを備える。プレートがベアリングの外側を覆うため、ベアリングの内部に異物が侵入することを防止できる。【選択図】図２
0003197041.tif 000002
【実用新案登録請求の範囲】
【請求項１】
ウィールに装着されるベアリングの外側に前記ベアリングを覆うプレートを配置したことを特徴とする、スケートボード。
【請求項２】
前記プレートは、
ドーナツ形状のプレート部と、
前記プレート部の内周から円筒状に突出した突出部と、
を備えたことを特徴とする、請求項１に記載のスケートボード。
【考案の詳細な説明】
【技術分野】
【０００１】
本考案はスケートボードに関する。
【背景技術】
【０００２】
スケートボードは、通常、ベアリングが内装されたウィール（ｗｈｅｅｌ）が用いられている。ベアリングは、ウィールの回転を邪魔する摩擦を軽減して、スケートボードの走行による衝撃によりウィールの回転が止まらないようにしている（例えば、非特許文献１参照。）。
【先行技術文献】
【非特許文献】
【０００３】
【非特許文献１】インターネット＜ＵＲＬ：http://www.aserweb.jp/shopping/support_page/skateboards_info/skateboards-info.html＞
【考案の概要】
【考案が解決しようとする課題】
【０００４】
ところで、ウィールに内装されるベアリングは、側部が外部にむき出しで取り付けられるものであるので、ベアリングの内部に小さな異物が侵入し、スケートボードの耐久性が悪くなるという問題があった。
【０００５】
そこで本考案は、このような問題に鑑みてなされたもので、その目的とするところは、ベアリングの内部に小さな異物が侵入することを防止することができる新規かつ改良されたスケートボードを提供することにある。
【課題を解決するための手段】
【０００６】
上記課題を解決するために、本考案によれば、ウィールに装着されるベアリングの外側に前記ベアリングを覆うプレートを配置したことを特徴とする、スケートボードが提供される。
【０００７】
かかる構成によれば、プレートがベアリングの外側を覆うため、ベアリングの内部に小さな異物が侵入することを防止することができる。
【０００８】
本考案は様々な応用が可能である。例えば、前記プレートは、ドーナツ形状のプレート部と、前記プレート部の内周から円筒状に突出した突出部と、を備えるようにしてもよい。これにより、ベアリングを装着する際に、ベアリングの内輪にプレートの突出部が当接する。このため、ベアリングを装着する作業において基本とされる内輪のみを締めるという作業を専門家でなくても行うことができる。また、ベアリングとプレート部との間には、プレートの突出部の突出長さ分の隙間が形成されるため、ベアリングがプレート部と擦れることなく回転することができる。
【考案の効果】
【０００９】
本考案によれば、ベアリングの内部に異物が侵入することを防止することができる。なお、本考案のその他の効果や応用例については、さらに後述する。
【図面の簡単な説明】
【００１０】
【図１】本考案の一実施形態にかかるスケートボードの部分斜視図である。
【図２】ウィール部分の分解斜視図である。
【図３】プレートを示す図であり、（ａ）は正面図であり、（ｂ）は断面図である。
【図４】ウィール部分の概略を示す側面図である。
【考案を実施するための形態】
【００１１】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１２】
本実施形態にかかるスケートボードは、ウィールに装着されるベアリングの外側にベアリングを覆うプレートを配置したことを特徴とするものである。まず、図１〜図３を参照しながら、本実施形態にかかるスケートボードの構成について説明する。
【００１３】
本実施形態にかかるスケートボード１００は、図１に示したように、足場となる板状のデッキ１１０と、デッキ１１０の裏面に取り付けられるトラック１２０と、トラック１２０に回転自在に取り付けられるウィール１３０と、を備えて構成される。トラック１２０は、デッキ１１０の前後端部近傍に取り付けられており、左右に傾くことでスケートボード１００の進行方向を変える。
【００１４】
以下、スケートボード１００の各構成要素について順に説明する。
【００１５】
デッキ１１０は、図１に示したように、足場となる板状の部材であり、裏面の前後端部近傍にトラック１２０が取り付けられる。
【００１６】
トラック１２０は、図１に示したように、デッキ１１０に取り付けられる基部１２１と、基部１２１に対して左右に揺れる揺動部１２２と、を備えている。トラック１２０は、揺動部１２２が左右に傾くことでスケートボード１００の進行方向を変えることができる。揺動部１２２の左右両端は先端に雄ねじが形成された軸部１２３となっている。軸部１２３の先端の雄ねじには、ナット１６０が螺合する。
【００１７】
ウィール１３０は、図１に示したように、トラック１２０の揺動部１２２の左右両端部に回転自在に取り付けられる。ウィール１３０の軸心には、図２に示したように、揺動部１２２が挿通する挿通孔１３１が形成されており、挿通孔１３１の左右には、挿通孔１３１よりも大径の収容部１３２が形成されている。収容部１３２には、ベアリング１４０とプレート１５０が装着される。
【００１８】
ベアリング１４０は、内輪１４１と外輪１４２との間にシールド１４３がはめ込まれて、シールドされた構成となっている。
【００１９】
プレート１５０は、図３に示したように、ドーナツ形状をしたプレート部１５１と、プレート部１５１の一方の面の内周から軸方向に円筒状に突出した突出部１５２とを備えた形状となっている。プレート１５０は、ベアリング１４０を覆う大きさであり、プレート部１５１の外径寸法は、ベアリング１４０の外形寸法とほぼ同じである。また、プレート部１５１の内径寸法は、ベアリング１４０の内径寸法とほぼ同じである。さらに、プレート１５０の突出部１５２は、プレート１５０をウィール１３０の収容部１３２に収容した状態で、ベアリング１４０の内輪１４１に当接する位置に設けられている。
【００２０】
本実施形態におけるプレート１５０の各部の具体的な寸法は、以下のとおりである。プレート部１５１は、外形寸法が約２２ｍｍ、内径寸法が約８．１ｍｍ、厚みが約０．７ｍｍである。突出部１５２は、外径寸法が約１１ｍｍ、突出長さが約０．１５ｍｍである。
【００２１】
以上、スケートボード１００の構成について説明した。次に、トラック１２０にウィール１３０を組み付ける方法について説明する。図４は、上述した図２の状態から各部品を組み付けた状態を概略的に示す図である。
【００２２】
まず、トラック１２０の左右の収容部１３２にベアリング１４０とプレート１５０が順次装着される。このとき、プレート１５０は突出部１５２がベアリング１４０の内輪１４１に当接するように配置される。このように、ベアリング１４０とプレート１５０を装着したウィール１３０を揺動部１２２の軸部１２３に挿通させる。このとき、揺動部１２２側に位置するプレート１５０は揺動部１２２に当接し、外部側に位置するプレート１５０からは軸部１２３の先端の雄ねじが突出する。軸部１２３の雄ねじにナット１６０を締め付ける。これにより、プレート１５０の突出部１５２がベアリング１４０の内輪１４１に圧接し、ベアリング１４０の内輪１４１がナット１６０によって締め付けられて、ウィール１３０が揺動部１２２に取り付けられる。
【００２３】
このように取り付けられたプレート１５０は、プレート部１５２の外形寸法がベアリング１４０の外形寸法とほぼ同じであるため、ベアリング１４０を覆うことができる。また、プレート１５０は、突出部１５２を備えているため、突出部１５２はベアリング１４０の内輪１４１に当接するが、プレート部１５１とベアリング１４０の外輪１４２との間には、突出部１５２によって隙間が形成される。しかし、この隙間は突出部１５２の突出長さ分である約０．１５ｍｍしかない。よって、プレート１５０によってベアリング１４０の内部に異物が侵入することが防止される。
【００２４】
また、プレート部１５１とベアリング１４０の外輪１４２との間に形成される隙間により、ナット１６０を締め込んだときのベアリング１４０のたわみや、ベアリング装着物のフレなどで、プレート部１５０がベアリング１４０に接触しない。このため、ベアリング１４０は外輪１４２がプレート部１５１と擦れることなく回転することができる。
【００２５】
さらに、プレート１５０の突出部１５２がベアリング１４０の内輪１４１と当接する位置に設けられているため、ナット１６０を締めるだけでベアリング１４０の内輪１４１のみを締めることができる。このようなベアリングの内輪のみを締めるという作業は、ベアリングを装着する際の基本であるが、一般的には専門家が行う技術を要する作業である。しかし、プレート１５０の突出部１５２がベアリング１４０の内輪１４１と当接する位置に設けたことにより、専門家でなくても容易にベアリング１４０を装着することができる。
【００２６】
（本実施形態の効果）
以上説明したように、本実施形態のスケートボード１００によれば、プレート１５０がベアリング１４０の外側を覆うため、ベアリング１４０の内部に異物が侵入することを防止することができる。
【００２７】
また、ベアリング１４０を装着する際に、ベアリング１４０の内輪１４１にプレート１５０の突出部１５２が当接する。これによって、ベアリング１４０を装着する作業において基本とされる内輪１４１のみを締めるという作業を専門家でなくても行うことができる。
【００２８】
また、プレート１５０とベアリング１４０との間には、プレート１５０の突出部１５２の突出長さ分の隙間が形成されるため、ベアリング１４０がプレート１５０と擦れることなく回転することができる。
【００２９】
以上、添付図面を参照しながら本考案の好適な実施形態について説明したが、本考案はかかる例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【００３０】
例えば、上記実施形態では、プレート１５０の構成として、プレート部１５１と突出部１５２とを備える構成について説明したが、本考案はこれに限定されない。ベアリングの内部に異物が侵入することを防止できれば、プレートは任意の構成のものでよい。例えば、プレートに突出部を設けなくてもよい。
【００３１】
また、上記実施形態では、プレート１５０の各部の具体的な寸法について説明したが、本考案はこれに限定されない。ベアリング１４０の大きさに対応してプレート１５０の各部の寸法を適宜変更してもよい。
【００３２】
また、上記実施形態においては、プレート１５０の突出部１５２は、プレート部１５１の一方の面に設ける構成について説明したが、本考案はこれに限定されない。突出部をプレート部の両方の面に設け、ナットがプレート部ではなく突出部を締め付けるようにしてもよい。
【産業上の利用可能性】
【００３３】
本考案はスケートボードに利用可能である。
【符号の説明】
【００３４】
１００  スケートボード
１１０  デッキ
１２０  トラック
１２１  基部
１２２  揺動部
１２３  軸部
１３０  ウィール
１３１  挿通孔
１３２  収容部
１４０  ベアリング
１４１  内輪
１４２  外輪
１４３  シールド
１５０  プレート
１５１  プレート部
１５２  突出部
１６０  ナット
【図１】
0003197041.tif 000003
【図２】
0003197041.tif 000004
【図３】
0003197041.tif 000005
【図４】
0003197041.tif 000006